(57)【要約】【課題】ケースを装着する前の回路基板組立体を落下等させた際に、基板表側の電気電子部品や基板裏側の端子接続部を外部との干渉から保護する。【解決手段】回路基板２に電気電子部品３を実装すると共に、回路基板の両端側に端子１６，３６を接続して、一端側の電気接続ブロック３１と他端側のコネクタブロック１５とを構成した電源分配ユニット１で、電気電子部品３を覆うカバー状のバスバー４を回路基板２側に配設した。回路基板２に電気電子部品３の端子７を貫通接続すると共に、回路基板の両端側に端子１６，３６を貫通接続して一端側の電気接続ブロック３１と他端側のコネクタブロック１５とを構成した電源分配ユニット１で、各端子７，１６の貫通側の回路基板面２ｂに対向して長形のバスバー端子５を複数並列に配設した。【選択図】図１
2009284623.tif 000002
【特許請求の範囲】
【請求項１】
回路基板に電気電子部品を実装すると共に、該回路基板の両端側に端子を接続して、一端側の電気接続ブロックと他端側のコネクタブロックとを構成した電源分配ユニットにおいて、前記電気電子部品を覆うカバー状のバスバーを前記回路基板側に配設したことを特徴とする電源分配ユニット。
【請求項２】
前記バスバーと前記電気電子部品との間に隙間が形成されたことを特徴とする請求項１記載の電源分配ユニット。
【請求項３】
前記バスバーの一方の端子部が前記回路基板に接続され、該バスバーの他方の端子部が前記コネクタブロックに配置されたことを特徴とする請求項１又は２記載の電源分配ユニット。
【請求項４】
回路基板に電気電子部品の端子を貫通接続すると共に、該回路基板の両端側に端子を貫通接続して一端側の電気接続ブロックと他端側のコネクタブロックとを構成した電源分配ユニットにおいて、前記各端子の貫通側の回路基板面に対向して長形のバスバー端子を複数並列に配設したことを特徴とする電源分配ユニット。
【請求項５】
前記バスバー端子の一方の端子部が前記電気接続ブロックに配置され、該バスバー端子の他方の端子部が前記コネクタブロックに配置されたことを特徴とする請求項４記載の電源分配ユニット。
【請求項６】
請求項１〜３の何れかに記載の電源分配ユニットの構成を備えたことを特徴とする請求項４又は５記載の電源分配ユニット。
【発明の詳細な説明】
【技術分野】
【０００１】
本発明は、回路基板に電気電子部品を実装すると共に上下の端子をハンダ接続してヒューズブロックやコネクタブロック等を形成した電源分配ユニットに関するものである。
【背景技術】
【０００２】
図６は、自動車に搭載される従来の電気接続箱の一形態の縦断面を示すものである（特許文献１参照）。
【０００３】
この電気接続箱６１は、絶縁樹脂製のフレーム６２と、フレーム内に下方から挿入係止される二つのヒューズブロック６３，６４と、各ヒューズブロック６３，６４の下部側のコネクタにそれぞれ下方から嵌合接続される相手側コネクタ６５，６６とを備えたものである。
【０００４】
一方のヒューズブロック６３は上部にブレード型のヒューズを接続させるヒューズ装着部（図示せず）を有し、ヒューズは相手側コネクタ６５側の電線６７に接続される。他方のヒューズブロック６４は複数のヒュージブルリンク（図示せず）を収容したもので、ヒュージブルリンクは相手コネクタ６６側の電線６８に接続される。両ヒューズブロック６３，６４はフレーム６２に沿う水平なバスバー（図示せず）で相互に接続され、他方のヒューズブロック６４の側部はバッテリ等からの電源線（図示せず）に接続される。フレーム６２には、各ヒューズブロック６３，６４を区画する隔壁９１が形成されている。各ヒューズブロック６３，６４はフレーム６２に係止手段（アームと突起）７６で係止される。
【０００５】
上記以外の電気接続箱としては、例えば特許文献２に記載されたものが挙げられる。
【０００６】
この電気接続箱は、絶縁樹脂製のフレームと、フレーム内に装着される複数のカセットブロックと、各カセットブロックの上部に装着されるリレーやヒューズと、フレームの上下開口に被着される上下の各カバーとを備えたものである。電気接続箱内には例えば自動車のバッテリからの電源が電線回路で供給される。
【０００７】
図７は、例えば電気接続箱内に搭載される回路基板組立体の一形態を示すものである（特許文献３参照）。
【０００８】
この回路基板組立体１０１は、プリント回路基板１０２に電子部品としてのトランジスタ１０３や抵抗１０４やコンデンサ１０５やＩＣ１０６やＬＳＩ１０７を実装すると共に、パワー素子であるトランジスタ１０３に絶縁物１０８を介してバスバー１０９を接触させてバスバー１０９の端子部１０９ａをプリント回路基板１０２に接続し、さらにプリント回路基板１０２の端部にコネクタ１１０を配設して成るものである。パワー素子１０３は例えばリレー等のように自動車のモータやソレノイド等を駆動し、他の電子部品１０４〜１０７は制御素子として作用する。バスバー１０９はパワー素子１０３の放熱作用を兼ねる。
【特許文献１】特開２００６−３２０１４７号公報（図３）
【特許文献２】特開２００７−６８２７４号公報（図１〜図２）
【特許文献３】特開平５−６７８８９号公報（図３）
【発明の開示】
【発明が解決しようとする課題】
【０００９】
図８は、電気接続箱の他の形態として、フレーム６９の内側に電源分配用の電源分配ユニット７０と、リレー７１やヒューズ７２やヒュージブルリンク７３を上部に接続する接続ブロック７４とを垂直な隔壁７５を介して装着する構造の電気接続箱７６を示し、図９（ａ）（ｂ）は電源分配ユニット７０の一形態を示すものである。
【００１０】
電源分配ユニット７０はパワーインテグレーションとも呼称され、例えば下部側端のコネクタ７７（図９）が電線７８を介して接続ブロック７４のコネクタ７９やヒューズ装着部８０に接続され、自動車の１２Ｖバッテリからの電源が例えば接続ブロック７４の下部側のコネクタ（図示せず）から接続ブロック７４に供給されると共に、電線７８を経て電源分配ユニット７０に供給される。
【００１１】
図９（ａ）（ｂ）の如く、電源分配ユニット７０は、絶縁樹脂製の横長のケース（カバー）８２と、ケース内に縦置きに配置された回路基板８３と、回路基板８３に表面実装（接続）された複数のリレー８４や抵抗９３等の電気電子部品と、回路基板８３の上部から上向きに突設されたヒューズ接続用の端子８５とコネクタ接続用の端子８６と、回路基板８３の下部から下向きに突設されたコネクタ接続用の端子８７と、ケース８２の下部に装着される絶縁樹脂製のコネクタブロック本体８８とを備えている。
【００１２】
上下の端子８５〜８７は、回路基板８３の上下にねじ固定された水平な壁部９１，９２を貫通して位置決め固定されている。ケース８２の上部にヒューズ装着部８９とコネクタハウジング９０とが一体に形成されている。下部のコネクタブロック８８から自動車の負荷側（図示せず）に電源が供給される。
【００１３】
しかしながら、上記図９の電源分配ユニット７０にあっては、回路基板８３にリレー８４や各端子８５〜８７やコネクタブロック本体８８を組み付けた回路基板組立体（電源分配ユニット主体部）９４の状態で、ケース８２を装着する際等に、作業者が回路基板組立体９４を落下等させてしまった場合に、回路基板８３の表面側のリレー８４等の電気電子部品や、回路基板８３の裏面側の各端子８５〜８７のハンダ接続部が外部と干渉して傷んだりダメージを受けたりするという懸念があった。
【００１４】
本発明は、上記した点に鑑み、例えばケースを装着する前の回路基板組立体を落下等させてしまった場合でも、基板表側のリレー等の電気電子部品や基板裏側の端子ハンダ接続部を外部と干渉させて傷めたりすることのない構造の電源分配ユニットを提供することを目的とする。
【課題を解決するための手段】
【００１５】
上記目的を達成するために、本発明の請求項１に係る電源分配ユニットは、回路基板に電気電子部品を実装すると共に、該回路基板の両端側に端子を接続して、一端側の電気接続ブロックと他端側のコネクタブロックとを構成した電源分配ユニットにおいて、前記電気電子部品を覆うカバー状のバスバーを前記回路基板側に配設したことを特徴とする。
【００１６】
上記構成により、カバー状のバスバーで電気電子部品が外部との干渉等から安全に保護される。カバー状のバスバーは電気電子部品を覆う電磁シールドとしても作用可能である。バスバーは端子部で回路基板に接続されたり、あるいは電気接続ブロックやコネクタブロックに端子部を配置させる。「カバー状」とは平板部の周囲に周壁を有する形状を言う。「電気電子部品」とはリレーや抵抗等を言う。
【００１７】
請求項２に係る電源分配ユニットは、請求項１記載の電源分配ユニットにおいて、前記バスバーと前記電気電子部品との間に隙間が形成されたことを特徴とする。
【００１８】
上記構成により、バスバーと電気電子部品との間の隙間で外部からの衝撃力が吸収されて電気電子部品への衝撃力の伝播が確実に防止される。隙間の範囲でバスバーは衝撃力で変形可能である。
【００１９】
請求項３に係る電源分配ユニットは、請求項１又は２記載の電源分配ユニットにおいて、前記バスバーの一方の端子部が前記回路基板に接続され、該バスバーの他方の端子部が前記コネクタブロックに配置されたことを特徴とする。
【００２０】
上記構成により、バスバーの他方の端子部から電源がコネクタ接続で入力され、バスバーの一方の端子部から回路基板に電源が供給される。電源は回路基板から電気電子部品を経てコネクタブロックから負荷側回路に供給される。バスバーが回路基板への電源入力と電気電子部品の保護とを兼ねて行う。
【００２１】
請求項４に係る電源分配ユニットは、回路基板に電気電子部品の端子を貫通接続すると共に、該回路基板の両端側に端子を貫通接続して一端側の電気接続ブロックと他端側のコネクタブロックとを構成した電源分配ユニットにおいて、前記各端子の貫通側の回路基板面に対向して長形のバスバー端子を複数並列に配設したことを特徴とする。
【００２２】
上記構成により、複数本の長形のバスバー端子が回路基板の端子接続部を覆って外部との干渉等から安全に保護する。端子接続部とは、電気電子部品の端子と回路基板の上下の端子とを回路基板に貫通してハンダ等で接続した部分である。バスバー端子は回路基板の一端から他端までを覆う長さに設定されることが好ましい。バスバー端子は回路基板に沿う（回路基板に接続されない）スルー端子であることが好ましい。
【００２３】
請求項５に係る電源分配ユニットは、請求項４記載の電源分配ユニットにおいて、前記バスバー端子の一方の端子部が前記電気接続ブロックに配置され、該バスバー端子の他方の端子部が前記コネクタブロックに配置されたことを特徴とする。
【００２４】
上記構成により、コネクタブロックに接続したヒューズ等の電気部品がバスバー端子の一方の端子部からコネクタブロック内の他方の端子部を経て負荷側回路に通電する（接続される）。バスバー端子は回路基板には接続されない。
【００２５】
請求項６に係る電源分配ユニットは、請求項４又は５記載の電源分配ユニットにおいて、請求項１〜３の何れかに記載の電源分配ユニットの構成を備えたことを特徴とする。
【００２６】
上記構成により、回路基板の表面側の電気電子部品がカバー状のバスバーで覆われて保護され、回路基板の裏面側の端子接続部が複数本のバスバー端子で覆われて保護される。その他、請求項１〜３記載の発明の作用効果が奏される。
【発明の効果】
【００２７】
請求項１記載の発明によれば、カバー状のバスバーで回路基板の電気電子部品が覆われて外部との干渉から保護されるから、例えば作業者がカバーを付けない電源分配ユニットを落下させたり、外部にぶつけたりした場合でも、電気電子部品が外部と干渉することなく安全に保護されて、電源分配ユニットの電源供給の信頼性が向上する。
【００２８】
請求項２記載の発明によれば、バスバーと電気電子部品との間の隙間で外部からの衝撃力が吸収されるから、電気電子部品への衝撃力の伝播が確実に防止されて、電源分配ユニットの電源供給の信頼性が一層向上する。
【００２９】
請求項３記載の発明によれば、バスバーによって回路基板への電源の入力作用と電気電子部品の保護との両方を行うことができ、電源分配ユニットの構造の簡素化・コンパクト化が可能となる。
【００３０】
請求項４記載の発明によれば、長形の複数本のバスバー端子で回路基板の端子接続部（ハンダ接続部）が覆われて外部との干渉から保護されるから、例えば作業者がカバーを付けない電源分配ユニットを落下させたり、外部にぶつけたりした場合でも、回路基板の端子接続部が外部と干渉することなく安全に保護されて、電源分配ユニットの電源供給の信頼性が向上する。
【００３１】
請求項５記載の発明によれば、複数のバスバー端子が回路基板に沿うスルー端子として作用して、電気接続ブロックとコネクタブロックとの間の回路仕様（回路数）の増加に対応することができる。
【００３２】
請求項６記載の発明によれば、回路基板の表面側の電気電子部品をカバー状のバスバーで覆って保護し、回路基板の裏面側の端子接続部を長形の複数のバスバー端子で覆って保護するから、カバーを付けない電源分配ユニットを落下させたり、外部にぶつけたりした場合に、回路基板の表裏両面側が同時に確実に保護されて、電源分配ユニットの電源供給の信頼性が一層向上する。
【発明を実施するための最良の形態】
【００３３】
図１〜図５は、本発明に係る電源分配ユニット（パワーインテグレーション）の一実施形態を示すものであり、図１〜図２は回路基板の表面側から見た図、図３〜図４は回路基板の裏面側から見た図、図５は図２に対応する外観図である。
【００３４】
この電源分配ユニット１は、図１の如く、回路基板２の表面２ａ側に配置されたリレー（電気電子部品）３をカバー状のバスバー４で覆って外部との干渉等から保護し、図３の如く、回路基板２の裏面（端子貫通側の回路基板面）２ｂ側に配置された端子ハンダ接続部６〜８を複数本の縦長のバスバー端子５で覆って外部との干渉等から保護したものである。
【００３５】
図１の如く、リレー３は、垂直な横長の回路基板２の表面に沿って複数（本例で三つ）並列に配置され、カバー状のバスバー４が複数のリレー３を同時に覆っている。図では右側と中央のリレー３を覆い、左側のリレー３は覆われていないが、全てのリレー３を覆うようにバスバー４を横方向（水平方向）に延長することが好ましい。
【００３６】
バスバー４は、一枚の導電金属板を材料として、各リレー３の前面３ａに近接して平行に配置される横長で垂直な前側の板部９と、前側の板部９の上下端に交差してリレー３の上下の各面３ｂ，３ｃに沿って平行に近接して鍔状に配置される水平な上下の板部１０，１１と、少なくとも上側の板部１０の先端から水平に突出形成された回路基板接続用の複数（本例で三本）タブ状の端子部１２と、前側の板部９の右端に交差して右端のリレー３の側面（右端面）３ｄに沿って近接した垂直な側板部（連結板部）１３と、側板部１３に交差して下側の板部１１よりも下方に延長（突出）形成されて、下側のコネクタブロック１５内に先端部を挿入（収容）させた幅広のタブ端子部（端子部）１４とを一体に形成して構成されている。
【００３７】
バスバー４の下側の板部１１も下側の水平なタブ状の端子部（１２）で回路基板２にハンダ接続させることが剛性を高める上で好ましい。前側の板部９はリレー３の前面３ａを全面積に渡って覆い、上下の板部１０，１１はリレー３の上下面を半分ないしそれ以下の面積で覆い、側板部１３はさらに小さな面積でリレー３の一側面３ｄを覆っている。バスバー４の前側と上下の各板部９〜１１を左側のリレー３まで延長した場合は、その前側の板部（９）の左端に交差して側板部（１３）を設け、側板部（１３）で左側のリレー３の他側面３ｅを覆うようにすることが好ましい。
【００３８】
上側の板部１０と同一面で続く端子部１２は回路基板２の前側の各端子１６の間を経て回路基板２にハンダ接続されている。バスバー４の複数本の端子部１２の一部を上向きにＬ字状に屈曲させてヒューズ接続用の挟持端子（１６）とすることも可能である。
【００３９】
バスバー４の端子部１２や回路基板２の前列の上側の各端子部１６は回路基板２のスルーホールを貫通して（図３の貫通した端子接続部６を参照）、回路基板２の裏面２ｂ側のプリント回路（図示せず）又は回路基板２の厚み方向中間の導電性のメタルコア（図示せず）に接続されている。
【００４０】
バスバー４の下側の板部１１に各端子部（１２）をＬ字状に突設してコネクタブロック１５内に収容したり、あるいは水平に突設して回路基板２にハンダ接続させることも可能である。本例のバスバー４は水平な端子部１２で回路基板２に固定されている。端子部１２をＬ字状の挟持端子（１６）ないしタブ端子とした場合は、バスバー４は回路基板２の上下の鍔壁１７，１８に固定される。
【００４１】
バスバー４の前側及び上下左右の板部９〜１１，１３はリレー３の各面３ａ〜３ｄに隙間を存して位置することが、干渉時の衝撃をバスバー４で受けて吸収し、リレー３に伝えないようにする上で好ましい。明細書で前後左右の方向性は説明の便宜上のものである。
【００４２】
バスバー４のタブ端子部１４は、側板部１３に交差した幅広の板部１４ａの下部側に一体形成されており（幅広の板部１４ａを含めてタブ端子と呼称してもよい）、幅広の板部１４ａはリレー３の側面３ｄから直交方向に突出して、外部との干渉からリレー３の側面３ｄを保護する。タブ端子部１４はコネクタブロック１５の右端側の大きなコネクタハウジング１９内に収容されて、コネクタハウジング１９と共に電源入力用のコネクタ（符号１９で代用）を構成している。タブ端子部１４でバスバー４がコネクタブロック１５に支持されている。
【００４３】
コネクタブロック１５は複数（本例で三つ）のコネクタ１９〜２０を並列に且つ一体に有し、中央と左端側のコネクタハウジング２０には回路基板２側の下側の複数のタブ状（ピン状でも可）の端子３６（図３）が収容されて、自動車の負荷側回路を接続するコネクタ（符号２０で代用）が構成されている。下側の複数のタブ端子３６はＬ字状に屈曲されて、その垂直部がコネクタ２０内に収容され、水平部が回路基板２にハンダ接続されている。
【００４４】
絶縁樹脂製のコネクタブロック本体（符号１５で代用）は、各コネクタハウジング１９，２０を水平に連結する上側の水平な壁部２１を有し、この上壁２１の前後端は鍔状に突出して（鍔部を符号２１ａで示す）、上壁２１の左右端部２１ｂと共に、図２の如く上側の絶縁樹脂製のケース（カバー）２２の下端２２ａを受ける。
【００４５】
コネクタブロック１５の左右端２１ｂ側には、ケース２２の左右の側壁２３の外面の係止突起２４を係合させる可撓性の係止枠片２５が上向きに突設されている。図１，図３のケース装着前の状態で電源分配ユニット主体部１’が構成され、図２，図４の如くケース２２を装着して電源分配ユニット１が構成される。
【００４６】
図２，図５の如く、ケース２２の左右の側壁２３の外面には、絶縁樹脂製のフレーム（図８の既存例参照）の内面の一対の垂直なガイドレール（図示せず）に係合するスライド係合部２６と、フレーム内の係止アーム（図示せず）に対する係合突起２７とが設けられている。ケース２２は前後左右の垂直な壁部２３，２８と上側の水平な壁部２９と下側の開口（符号２２ａで代用）とを有している。
【００４７】
ケース２２の上壁２９には回路基板２側とバスバー４の上側の端子１６，３０を収容する電気部品装着部としてのヒューズブロック本体３１が一体に設けられている。図５の如く、ヒューズブロック本体３１は複数のヒューズ収容孔３５を並列に有し、ヒューズ収容孔３５の前後端に前後の挟持端子（端子）１６，３０を下方から挿入してヒューズブロック（符号３１で代用）を構成する。
【００４８】
図１の如く、回路基板２の上下には絶縁樹脂製の水平な壁部１７，１７’，１８，１８’が前後に鍔状に突設されている。この鍔壁１７〜１８’は回路基板２にねじ止め部（図示せず）で固定されている。下側の鍔壁１８，１８’がコネクタブロック１５の上壁２１に当接支持（固定）されている。前側の上下の鍔壁１７，１８の各スリット孔に、回路基板２の表面側の略Ｌ字状の上下のタブ端子１６，３６の垂直部１６ｂ，３６ｂが挿通されている。
【００４９】
上下の各端子１６，３６の水平部１６ａ，３６ａが回路基板２のスルーホールを貫通して（図３参照）、基板裏側のプリント回路や中間のメタルコアにハンダ接続されている。ハンダ接続に代えてスルーホールに圧入接続することも可能である。回路仕様によっては下側のタブ端子３６を省略してバスバー４の下側の板部１１に続く下側のタブ端子（図示せず）でコネクタブロック１５内の端子を構成することも可能である。
【００５０】
上下の各端子１６，３６の水平部１６ａ，３６ａはリレー３の上下面３ｂ，３ｃと上下の鍔壁１７，１８との間に挿通されている（図９の既存例参照）。挟持端子１６は左右一対の可撓性の挟持片１６ｃを有して、ブレード型のヒューズ（図示せず）の一対のタブ端子を挿入（挟持）接続させる。挟持端子１６に代えて図９の既存例のようなタブ端子を形成して、電気接続ブロックとしてのヒューズブロック３１とコネクタブロック（図示せず）とをケース２２の上部に形成することも可能である。
【００５１】
図３の如く、回路基板２の裏面２ｂ側の上下の各端子３０（上側のみ図示する）は垂直な細幅帯状（縦長）の各バスバー端子５の上下に一体に形成されている。バスバー端子５は、回路基板２を通さずに上側のヒューズ（図示せず）と下側のコネクタ２０とをスルー接続させるものであり、回路基板２の裏面２ｂに沿って等ピッチで並列に配置されている。
【００５２】
図３，図４の如く、バスバー端子５は、回路基板２の裏面２ｂに沿って一定の狭い隙間を存して平行に対向する垂直なバスバー本体３２と、バスバー本体３２の上端に交差して前向きに短く突出した上側水平部３３と、上側水平部３３からケース２２のヒューズブロック３１内に上向きに突出した挟持端子３０と、バスバー本体３２の下端に交差して前向きにやや長く突出した下側水平部３４と、下側水平部３４から下向きに突出してコネクタブロック１５内に収容配置される下側のタブ端子（図示せず）とで構成されている。
【００５３】
バスバー本体３２は回路基板２の上下端から突設固定された水平な鍔壁１７’，１８’に貫通固定されている。前後の各鍔壁１７，１７’、１８，１８’を一体に形成して共通のねじ止め部等で回路基板２に固定することも可能である。上側の前後二列の挟持端子１６，３０は対向して位置し、ヒューズ（電気部品）を介して相互に接続される。下側のタブ端子（図示せず）は前後二列に対向又は横一列に互い違いに配置され、コネクタブロック１５のコネクタハウジング２０内で負荷側回路（図示せず）にコネクタ接続される。
【００５４】
回路基板２の裏面２ｂには、リレー３等（電気電子部品）の端子（脚部）の先端７，８や上側の挟持端子１６の水平部（脚部）１６ａの先端６や、バスバー４の水平な端子部１２の先端（６）や、下側のタブ端子３６の水平部（脚部）３６ａの先端６が突出してハンダ接続等されているが、複数本のバスバー端子５のバスバー本体３２や上下の壁部１７’，１８’で回路基板２の裏面２ｂが覆われることで、表面２ａ側の各端子１６，３６の脚部先端６が覆われて、外部との干渉から安全に保護されている。
【００５５】
表側の上下の各端子１６はバスバー端子５と対向して配置されているので、表側の上下の各端子１６，３６の脚部先端６はバスバー本体３２に対向して完全に覆われている。リレー３等の端子（脚部）７，８はバスバー本体３２に対向せずに各バスバー本体３２の間に位置することもあるが、バスバー端子５は複数近接して配置されているので、落下時等における外部との干渉は確実に防止される。
【００５６】
なお、上記実施形態においては、回路基板２の表面側のリレー３等を保護するカバー状のバスバー４と、回路基板２の裏面側の端子接続部６〜８を保護する複数本のバスバー端子５とを同時に用いたが、例えば、回路基板２の表面側のリレー等を保護するカバー状のバスバー４のみ、あるいは、回路基板２の裏面側の端子接続部６〜８を保護する複数本のバスバー端子５のみを用いた外部との干渉防止構造を採用することも有効である。
【００５７】
また、上記実施形態においては、ケース２２を装着する電源分配ユニット１として説明したが、例えばケース２２を排除して電源分配ユニット主体部１’の状態で電源分配ユニットとし、電源分配ユニット主体部１’を絶縁樹脂製のブロック本体（図示せず）の内側空間に他の図示しないユニット等と共に収容する場合は、ブロック本体の内壁でケース２２を兼ね、ブロック本体の上壁にヒューズブロック本体（３１）を一体形成して、ブロック本体をフレーム（図８の符号６９参照）内に収容することも可能である。
【図面の簡単な説明】
【００５８】
【図１】本発明に係る電源分配ユニットのカバー装着前の一実施形態を示す前方視斜視図である。
【図２】カバーを鎖線で示す電源分配ユニットの前方視斜視図である。
【図３】同じく電源分配ユニットのカバー装着前の状態を示す後方視斜視図である。
【図４】カバーを鎖線で示す電源分配ユニットの後方視斜視図である。
【図５】カバー装着後の電源分配ユニットを示す前方視斜視図である。
【図６】従来の電気接続箱の一形態を示す縦断面図である。
【図７】従来の回路基板組立体の一形態を示す平面図である。
【図８】既存の電気接続箱の一形態を示す平面図である。
【図９】（ａ）は既存の電源分配ユニットの一形態を示す斜視図、（ｂ）は同じく内部構造を示す斜視図である。
【符号の説明】
【００５９】
１    電源分配ユニット
２    回路基板
３    リレー（電気電子部品）
４    バスバー
５    バスバー端子
７    端子
１２  端子部
１４  端子部
１５  コネクタブロック
１６  挟持端子（端子）
３０  挟持端子（端子部）
３１  ヒューズブロック（電気接続ブロック）
３６  タブ端子（端子）
３７  タブ端子（端子部）
【図１】
2009284623.tif 000003
【図２】
2009284623.tif 000004
【図３】
2009284623.tif 000005
【図４】
2009284623.tif 000006
【図５】
2009284623.tif 000007
【図６】
2009284623.tif 000008
【図７】
2009284623.tif 000009
【図８】
2009284623.tif 000010
【図９】
2009284623.tif 000011